(57)【要約】【課題】落下したトナー類を受けることができ、景観の見劣りの抑制や清掃性の向上を図ることができる装置操作方法解説シート及びこれを有する画像形成装置を提供する。【解決手段】画像形成装置の開閉部材の内側に設置される装置操作方法解説シート１６は、解説機能を有するシート本体部１６ａと、これと一体に形成された受け部１６ｂとからなる。受け部１６ｂが装置本体に対する回転支点１５側に位置するように設けられる。この結果、開閉部材を開けてトナー交換等を行った場合に落下したトナーＴは平面である受け部１６ｂの表面に止まり、その下のリブで区画された部位に落ちるのを阻止される。これにより清掃が容易となる。【選択図】    図３
2006251754.tif 000002
【特許請求の範囲】
【請求項１】
画像形成装置における開閉可能な開閉部材の内側に設けられる装置操作方法解説シートにおいて、
上記開閉部材の内側に落下するトナー等の塵埃を受ける受け部を有していることを特徴とする装置操作方法解説シート。
【請求項２】
請求項１に記載の装置操作方法解説シートにおいて、
上記受け部が塵埃を目立たなくするように着色又は模様付けされていることを特徴とする装置操作方法解説シート。
【請求項３】
請求項１に記載の装置操作方法解説シートにおいて、
上記受け部の全範囲が塵埃を目立たなくするように着色されていることを特徴とする装置操作方法解説シート。
【請求項４】
請求項３に記載の装置操作方法解説シートにおいて、
上記受け部の全範囲が黒色で着色されていることを特徴とする装置操作方法解説シート。
【請求項５】
請求項１に記載の装置操作方法解説シートにおいて、
上記受け部に、表面が粘着性を有する塵埃保持シートが設けられていることを特徴とする装置操作方法解説シート。
【請求項６】
請求項５に記載の装置操作方法解説シートにおいて、
上記塵埃保持シートが上記受け部の厚み方向に複数枚重ねて且つ1枚ずつ剥がし可能に設けられていることを特徴とする装置操作方法解説シート。
【請求項７】
請求項１乃至６のうちの何れかに記載の装置操作方法解説シートを備えていることを特徴とする画像形成装置。
【請求項８】
請求項７に記載の画像形成装置において、
上記受け部が上記開閉部材の回動支点側に設けられていることを特徴とする画像形成装置。
【請求項９】
装置本体に回動自在に支持された開閉部材を有する画像形成装置において、
上記開閉部材の内側面に防汚シートが設けられ、該防汚シートの一端部は上記開閉部材の回動支点側を越えて上記装置本体内に延びていることを特徴とする画像形成装置。
【請求項１０】
請求項９に記載の画像形成装置において、
上記防汚シートの一端部が上記装置本体に固定されていることを特徴とする画像形成装置。
【請求項１１】
請求項９又は１０に記載の画像形成装置において、
上記防汚シートが透明で、該防汚シートと上記開閉部材の間に装置操作方法解説シートが設けられていることを特徴とする画像形成装置。
【請求項１２】
請求項９又は１０に記載の画像形成装置において、
上記防汚シートが、装置操作方法解説シートを兼ねることを特徴とする画像形成装置。
【発明の詳細な説明】
【技術分野】
【０００１】
本発明は、画像形成装置内に設けられる装置操作方法解説シート、及び該装置操作方法解説シートを有する複写機、プリンタ、ファクシミリ、プロッタ等の画像形成装置に関する。
【背景技術】
【０００２】
複写機等の画像形成装置では、ジャム等が発生した場合の対処の仕方や装置内部の機器の移動方法や操作方法を説明した装置操作方法解説シートを装置内部に設け、図示解説することによりオペレータが種々のトラブルや消耗品交換作業等に迅速に対応できるようになっている。
このような装置操作方法解説シートは、一般に、装置本体に対して外側に開閉可能なドア様の外装カバー等（以下、「ドア部」と称する。）の内側に設置されている。
【０００３】
【特許文献１】実開昭６２−９６６５１号公報
【特許文献２】実開平２−３１０２３号公報
【特許文献３】特許第３１７３７９１号公報
【特許文献４】特開平１１−２４５３２号公報
【特許文献５】特開２００４−５１２９５号公報
【特許文献６】特開２００２−２２９２８９号公報
【特許文献７】特開２００３−３４５２２０号公報
【特許文献８】特開２００４−５１２９５号公報
【特許文献９】特開２００５−９１３８８号公報
【発明の開示】
【発明が解決しようとする課題】
【０００４】
トナー等の充填（交換）、ユニット脱着、装置本体（装置筐体）内部のメンテナンス等の作業を行う場合、ドア部が下端側を支点として外側（使用者側）に回動して開く開閉形式の場合、トナーのこぼれ等が発生したときには、トナー等の塵埃はドア部に落下する。
一般に、ドア部は合成樹脂で形成されており、その内側には部品強度向上を目的として多数のリブが複合的に配置されている。
このため、トナー類がドア部に落下すると、リブで区画された狭小空間部に溜まることになり、その除去（掃除）は困難であった。
【０００５】
本来、ドア部の開放面（内側）に物が落下することはないが、トナー補給等の際に、使用者における補給時の誤操作などを原因として、稀にトナーの落下が発生する場合がある。
落下したトナーを除去できずにそのまま放置した場合、ドア部の内面の景観が損なわれることになる。
【０００６】
そこで、本発明は、落下したトナー類を受けることができ、景観の見劣りの抑制や清掃性の向上を図ることができる装置操作方法解説シート、画像形成装置の提供を、その目的とする。
【課題を解決するための手段】
【０００７】
上記目的を達成するために、請求項１に記載の発明では、画像形成装置における開閉可能な開閉部材の内側に設けられる装置操作方法解説シートにおいて、上記開閉部材の内側に落下するトナー等の塵埃を受ける受け部を有していることを特徴とする。
【０００８】
請求項２に記載の発明では、請求項１に記載の装置操作方法解説シートにおいて、上記受け部が塵埃を目立たなくするように着色又は模様付けされていることを特徴とする。
【０００９】
請求項３に記載の発明では、請求項１に記載の装置操作方法解説シートにおいて、上記受け部の全範囲が塵埃を目立たなくするように着色されていることを特徴とする。
【００１０】
請求項４に記載の発明では、請求項３に記載の装置操作方法解説シートにおいて、上記受け部の全範囲が黒色で着色されていることを特徴とする。
【００１１】
請求項５に記載の発明では、請求項１に記載の装置操作方法解説シートにおいて、上記受け部に、表面が粘着性を有する塵埃保持シートが設けられていることを特徴とする。
【００１２】
請求項６に記載の発明では、請求項５に記載の装置操作方法解説シートにおいて、上記塵埃保持シートが上記受け部の厚み方向に複数枚重ねて且つ1枚ずつ剥がし可能に設けられていることを特徴とする。
【００１３】
請求項７に記載の発明では、画像形成装置において、請求項１乃至６のうちの何れかに記載の装置操作方法解説シートを備えていることを特徴とする。
【００１４】
請求項８に記載の発明では、請求項７に記載の画像形成装置において、上記受け部が上記開閉部材の回動支点側に設けられていることを特徴とする。
【００１５】
請求項９に記載の発明では、装置本体に回動自在に支持された開閉部材を有する画像形成装置において、上記開閉部材の内側面に防汚シートが設けられ、該防汚シートの一端部は上記開閉部材の回動支点側を越えて上記装置本体内に延びていることを特徴とする。
【００１６】
請求項１０に記載の発明では、請求項９に記載の画像形成装置において、上記防汚シートの一端部が上記装置本体に固定されていることを特徴とする。
【００１７】
請求項１１に記載の発明では、請求項９又は１０に記載の画像形成装置において、上記防汚シートが透明で、該防汚シートと上記開閉部材の間に装置操作方法解説シートが設けられていることを特徴とする。
【００１８】
請求項１２に記載の発明では、請求項９又は１０に記載の画像形成装置において、上記防汚シートが、装置操作方法解説シートを兼ねることを特徴とする。
【発明の効果】
【００１９】
請求項１又は７記載の発明によれば、画像形成装置における開閉可能な開閉部材の内側に設けられる装置操作方法解説シートにおいて、上記開閉部材の内側に落下するトナー等の塵埃を受ける受け部を有していることとしたので、トナーなどが開閉部材のリブで囲まれた清掃しにくい場所に落下するのを防止でき、清掃性を向上させることができる。
【００２０】
請求項２又は７記載の発明によれば、請求項１に記載の装置操作方法解説シートにおいて、上記受け部が塵埃を目立たなくするように着色又は模様付けされていることとしたので、トナー等が落下してもその存在を目立たなくすることができ、景観の見劣りを抑制して製品の外観品質を維持することができる。
【００２１】
請求項３又は７記載の発明によれば、請求項１に記載の装置操作方法解説シートにおいて、上記受け部の全範囲が塵埃を目立たなくするように着色されていることとしたので、トナー等が落下してもその存在を目立たなくすることができ、景観の見劣りを抑制して製品の外観品質を維持することができる。
【００２２】
請求項４又は７記載の発明によれば、請求項３に記載の装置操作方法解説シートにおいて、上記受け部の全範囲が黒色で着色されていることとしたので、トナー等が落下してもその存在を目立たなくすることができ、景観の見劣りを抑制して製品の外観品質を維持することができる。
【００２３】
請求項５又は７記載の発明によれば、請求項１に記載の装置操作方法解説シートにおいて、上記受け部に、表面が粘着性を有する塵埃保持シートが設けられていることとしたので、落下したトナー等の飛散を防止できる。また、塵埃保持シートを剥がして交換することで、落下したトナー類を簡単に除去することができ、製品の外観品質を容易に維持することができる。
【００２４】
請求項６又は７記載の発明によれば、請求項５に記載の装置操作方法解説シートにおいて、上記塵埃保持シートが上記受け部の厚み方向に複数枚重ねて且つ1枚ずつ剥がし可能に設けられていることとしたので、新たな塵埃保持シートの貼り付け作業を不要にでき、トナー等の除去作業の容易化を図ることができる。
【００２５】
請求項８記載の発明によれば、請求項７に記載の画像形成装置において、上記受け部が上記開閉部材の回動支点側に設けられていることとしたので、トナー等が落下する確率の高い部位をカバーでき、よってトナー等の開閉部材内側への落下を高精度に防止できる。
【００２６】
請求項９記載の発明によれば、装置本体と開閉部材との隙間からトナー等が装置本体の外部に落ちることを防止できる。
請求項１０記載の発明によれば、装置本体と開閉部材との隙間からトナー等が装置本体の外部に落ちることを確実に防止できる。
請求項１１記載の発明によれば、装置操作方法解説シートを汚すことなく見ることができる。
請求項１２記載の発明によれば、１つの部材で防汚シ−トと解説シートの両機能を得ることができ、構成の簡易化を図ることができる。
【発明を実施するための最良の形態】
【００２７】
以下、本発明の第１の実施形態を図１乃至図３に基づいて説明する。
図１は、本実施形態における画像形成装置１の全体斜視図である。符号２は自動原稿送り装置を一体に備えた原稿カバーを、３は原稿ガラス（コンタクトガラス）を、４は本体トレイを、５は電源表示部を、６は電源キーを、７は操作部を、８は上トレイ排紙表示ランプを、９は本体上トレイを、１０は両面ユニットを、１１は開閉部材としての前カバーを、１２ａ、１２ｂ、１２ｃ、１２ｄは給紙トレイを、１３は装置本体をそれぞれ示している。
【００２８】
前カバー１１は、下端側を支点にして外側へ開けることができるようになっている。すなわち、矢印Ａ方向に開閉可能となっている。
図２は、前カバー１１を外側に開放した状態示している。前カバー１１はヒンジ部１４を介して装置本体１３に連結されているとともに回転自在に支持されている。符号１５は回転支点（回転中心線）を示す。
前カバー１１を開けることにより、装置本体１３の中の操作（トナー交換や転写紙除去作業等）が可能な状態となる。
前カバー１１の内側には強度的向上を目的として縦方向のリブ１１ａと横方向のリブ１１ｂが複数形成されている。図２では前カバー１１の厚みを省略し、リブ１１ａ、１１ｂは二点鎖線で表示している。
前カバー１１の内側には、リブ１１ａ、１１ｂの上を覆うようにして装置操作方法解説シート１６が設置されている。
装置操作方法解説シート１６は例えば図示しないフックに周縁を係合して着脱自在に設置されている。
【００２９】
図３に示すように、装置操作方法解説シート１６は、文字や絵柄により操作方法等の説明が印刷されたシート本体部１６ａと、トナー等の塵埃を受ける受け部１６ｂを有している。
装置操作方法解説シート１６は、人工紙や合成紙で形成されており、所定の保形性を有している。
トナー交換等を行うと、前カバー（ドア部）１１の回転支点１５側（装置内側方向）にトナーが落下する場合があり、リブで区画された部分にトナーが落下すると清掃が困難となる。例えば、トナーカートリッジを交換する場合に、その交換作業が適切でない場合にはトナーが落下しやすい。
本実施形態ではこれを解消すべく、トナーの落下可能性の高い部位である前カバー１１の回転支点１５側のリブ上面を覆うように受け部１６ｂが設けられている。
【００３０】
落下したトナーＴは受け部１６ｂに受け止められ、リブで区画された部位には到達しない。受け部１６ｂはシート本体部１６ａと一体に形成された平面であるため、トナーＴの清掃は容易となる。したがって、一体成形の装置操作方法解説シート１６により複数の機能を得ることができる。
装置操作方法解説シート１６は、シート本体部１６ａのみが説明内容をユーザーに伝達する機能を有し、受け部１６ｂはその機能を有しない。したがって、受け部１６ｂは説明内容の部分（シート本体部１６ａ）からエリア的に外す必要があり、この観点から回転支点１５側近傍に設けることにより効果が大きい。
本実施形態では、受け部１６ｂの形状を長方形としたが、これに限定される趣旨ではなく、トナー等の塵埃を受ける機能を有する範囲で適宜に設定することができる（以下の他の実施形態において同じ）。
【００３１】
次に、図４に基づいて第２の実施形態を説明する。なお、第１の実施形態と同一部分は同一符号で示し、特に必要がない限り既にした構成上及び機能上の説明は省略して要部のみ説明する（以下の他の実施形態において同じ）。
この種の装置操作方法解説シートは、印刷物であるため、一般的に、淡色（薄いグレーや白等）の表面（地膚面）に多色又は単色印刷を施してその機能を果たす構造が多く、落下したトナーにより汚れが目立つ場合が多い。また、清掃した場合でも残ったトナーが目立つ場合がある。
本実施形態ではこのようなトナー等による汚れを目立たなくすることを目的としている。
【００３２】
本実施形態における受け部１６ｂは、均一着色範囲として設けられおり、全面が黒色で着色されている。図４ではハッチングで表示している。したがって、トナーが落下して清掃がなされなくても、トナーの存在は目立たなくなる。
着色は黒色に限定される訳ではなく、トナー等の塵埃の存在を目立たなくできる色であればよい。また、受け部１６ｂの全面に着色する必要はなく、例えば、黒等の濃い色でドット表示をしてトナーの存在をカムフラージュするようにしてもよい。また、受け部１６ｂに着色により模様付けをしてトナーの存在を目立たなくするようにしてもよい。
【００３３】
図５に基づいて第３の実施形態を説明する。
受け部１６ｂに落下したトナー類は帯電していないため、電気的又は機械的に受け部１６ｂに保持できる訳ではない。したがって、清掃をする前に、例えば前カバー１１の開閉動作時の風圧等によりトナーが飛散して装置操作方法解説シート１６で覆われていない部位に落ちる可能性がある。
本実施形態では受け部１６ｂにトナー等の塵埃を保持することを目的としている。図５に示すように、受け部１６ｂの表面には、ほぼその全域を覆う面積の塵埃保持シートとしての粘着シート１７が貼り付けられている。
粘着シート１７は表面が粘着性を有する樹脂製の透明性のあるシートで、裏面をもって受け部１６ｂの表面に貼り付けられている。表面が粘着性を有するシートを接着材で貼り付けてもよいが、本実施形態では、粘着シート１７として、両面が粘着性を有するものを使用している。
【００３４】
落下したトナー類は受け部１６ｂの上面、すなわち粘着シート１７の表面に粘着性により保持され、移動（飛散）できない状態となる。粘着シート１７の一端部には剥がすための剥がし片１７ａが形成されており、トナー類が溜まったら適宜（例えばメンテナンス時等）、トナー類と共に剥がして廃棄する。
粘着シート１７は透明性を有しているため、トナー等に対しカムフラージュ機能は有していないが、受け部１６ｂを着色又は模様付けすれば結果的に目立たなくすることができ、落下したトナー等を保持していても外観品質の低下を抑制できる。
粘着シート１７の材質としては、例えばポリプロピレン、ポリアミド、ポリカーボネートを採用することができる。
粘着シート１７を１枚だけ貼った構成では、引き剥がしたときにまた新しい粘着シート１７を貼る手間を要するが、図６に示すように、受け部１６ｂの厚み方向に粘着シート１７を複数枚重ねて設ける構成とすれば、トナー類で汚れた粘着シート１７を引き剥がした場合、同時に新しい粘着面が現れる。
すなわち、粘着シート１７を剥がすことによるトナーの除去作業を、新しい粘着シート１７を用意することなく繰り返すことができる（第４の実施形態）。
【００３５】
上記各実施形態では、開閉部材（ドア部）として前カバー１１を例示したが、これに限定される趣旨ではなく、装置操作方法解説シート１６を設置できる開閉部材であれば何れでもよい。
【００３６】
図７乃至図１０に基づいて第５の実施形態を説明する。
図７に示すように、画像形成装置２０の装置本体（装置筐体）２１の前面には、
メンテナンス時及びジャム処理時に開閉可能な開閉部材としての前カバー２２が設けられている。前カバー２２の下端部は装置本体２１の前側下方平坦部スペースとしてのベース部２３においてヒンジ部材を介して回動自在に支持されている。
図示しない感光体ドラムユニットや現像ユニット交換のメンテナンス時には、前カバー２２を開け、感光体ユニット面板２４の押さえを解除し、感光体ドラムユニット等を前側に引き出す。このような作業をする際にトナー等がこぼれ、開放した前カバー２２の内側に落ち、前カバー内側のリブ２２ａ、２２ｂの隅に溜まってしまう。
【００３７】
これを防止するために、図８に示すように、上記実施形態と同様に、前カバー２２の内側（内側面）に平滑面を有する防汚部材としての防汚シート２５が取り付けられている。平滑面を有しているため、清掃がしやすくなる。
図７に示す画像形成装置２０は、防汚シート２５の実施対象としての専用構造を示すものではなく、上述した装置操作方法解説シート１６でも実施でき、また、図１で示した画像形成装置１においても防汚シート２５を実施できるものである。
【００３８】
防汚シート２５は、前カバー２２の内側面の一部又は略全体を覆い、且つ、装置本体２１のベース部２３に延びる形状を有している。ベース部２３へ延びる一端部２５ａは、１箇所以上（ここでは２箇所）の位置をもってネジ２６でベース部２３に固定されている。前カバー２２の内側面においても複数のネジ２７で固定されている。
防汚シート２５の一端部２５ａは、前カバー２２の回動支点側を越えて装置本体２１内のベース部２３延びているため、ベース部２３と前カバー２２との隙間からトナー等が装置本体２１の外部に落ちることが防止される。また、上述のように防汚シート２５の一端部２５ａはベース部２３に固定されているので、一端部２５ａがベース部２３から浮いてしまうことを防止でき、ベース部２３と前カバー２２との隙間からトナー等が装置本体２１の外部に落ちることを確実に防止できる。
一端部２５ａがベース部２３から浮くことなく上記問題が生じない場合には、必ずしもベース部２３に一端部２５ａを固定する必要はない。
【００３９】
防汚シート２５は、その一端部２５ａの近傍に、前カバー２２の開閉動作に伴うヒンジ機能を得るための屈曲部２５ｂを有している。
屈曲部２５ｂは、図９に示すように、前カバー１の開閉の際に曲がりやすいように他の部分よりも厚さを薄く設定されている。材質としては屈曲性能に優れているナイロン樹脂などが望ましい。しかしながら、屈曲性が高く平滑面を持つ材質ならば樹脂材に限らず他の材質を使用しても問題はない。
また、防汚シート２５に透明である材質を使用することで、前カバー２２の内側に取り付けられることの多いジャム処理方法を記載した操作シート（上述したトナー汚れ防止機能を有する装置操作方法解説シートではなく、従来の装置操作方法解説シート）を防汚シート２５の下に挿入することができ、操作シートを汚すことなく見ることができるようになる。
防汚シート２５の材質としては、反復折り曲げに対する耐久性に優れたポリエステルフィルム等のシート材質が望ましい。さらに厚さが２５μｍ〜１８８μｍ程度の物を使用すれば、薄肉部（屈曲部２５ｂ）を作ることなく屈曲部２５ｂの機能を得ることができる。これによりコストダウンと軽量化を同時に達成できる。
また、このような薄い防汚シート２５を複数枚重ねて設置すれば、汚れが取れなくなった場合には一枚ずつ破棄することで清掃する手間を省くことができる。
【００４０】
図１０及び図１１に第６の実施形態を示す。
第５の実施形態では、防汚シート２５の一端部２５ａをベース部２３にネジ２６で固定する構成としたが、本実施形態では着脱自在に固定（保持）することを特徴とする。
図１０（ａ）に示すように、ベース部２３にはネジ２６の代わりに、軸形状の固定部材（保持部材）２８が固定されている。固定部材２８は下方（固定端側）に向かって徐々に径が大きくなる頭部（抜け止め部）２８ａと、ベース部２３への固定部を兼ねる係止部２８ｂを有している。
図１０（ｂ）に示すように、防汚シート２５の一端部２５ａには、円形の一部が内方に突出した保持用穴２５ｃが形成されている。頭部２８ａの最大径Ｂ、係止部２８ｂの径Ａ、保持用穴２５ｃの最小径Ｃは、Ｂ＞Ｃ＞Ａを満たすように設定されており、防汚シート２５の一端部２５ａを押し込むことにより容易に係止でき、且つ、ある程度力を入れれば容易に取り外すことができるようになっている。すなわち、ワンタッチ操作で着脱できるようになっている。これにより防汚シート２５の交換性を向上させることができる。
【００４１】
図１１（ａ）に示すように、下方に向かって徐々に径が大きくなる頭部（抜け止め部）２９ａと、係止部２９ｂと、ベース部２３への固定部２９ｃとを有する固定部材２９を用いてもよく、図１１（ｂ）に示すように、防汚シート２５の一端部２５ａに形成する保持用穴は、円形の対向位置において内方に突出する部分を有する形状としてもよい。
本実施形態では、防汚シート２５の一端部２５ａを固定部材に係止して固定（保持）する構成としたが、ベース部２３に一端部２５ａを差込可能な差込部を設け、単に差し込むことにより浮かないようにしてもよい。防汚シート２５の略全体は前カバー２２に固定又は保持されているので、単に差し込むだけでも一端部２５ａの浮き抑制は可能である。
また、防汚シート２５自体に、装置操作方法解説シートの記載内容を表示して、装置操作方法解説シートの機能を兼ねるようにしてもよい。
【図面の簡単な説明】
【００４２】
【図１】本発明の第１の実施形態における画像形成装置の斜視図である。
【図２】前カバーを開放した状態の斜視図である。
【図３】装置操作方法解説シートの平面図である。
【図４】第２の実施形態における装置操作方法解説シートの平面図である。
【図５】第３の実施形態における装置操作方法解説シートの平面図である。
【図６】第４の実施形態における塵埃保持シートの斜視図である。
【図７】第５の実施形態における画像形成装置の前カバーを開放した状態の斜視図である。
【図８】防汚シートの設置状態を示す斜視図である。
【図９】防汚シートの屈曲部を示す断面図である。
【図１０】第６の実施形態における防汚シートの一端部の保持構造を示す図である。
【図１１】防汚シートの一端部の保持構造の変形例を示す図である。
【符号の説明】
【００４３】
１  画像形成装置
１１、２２  開閉部材としての前カバー
１６ｂ  受け部
１７  塵埃保持シート
２５  防汚シート
２５ａ  一端部
Ｔ  トナー
【図１】
2006251754.tif 000003
【図２】
2006251754.tif 000004
【図３】
2006251754.tif 000005
【図４】
2006251754.tif 000006
【図５】
2006251754.tif 000007
【図６】
2006251754.tif 000008
【図７】
2006251754.tif 000009
【図８】
2006251754.tif 000010
【図９】
2006251754.tif 000011
【図１０】
2006251754.tif 000012
【図１１】
2006251754.tif 000013